(57)【特許請求の範囲】
【請求項１】
複数の端末と接続される電話番号取得装置がダイヤルアップサーバと接続され、該ダイヤルアップサーバは通信ネットワークを介して複数の通信端末と接続される接続システムであって、
前記電話番号取得装置は、
前記各通信端末の電話番号と、該通信端末の識別情報とを対応付けて記憶する第１記憶手段と、
前記各端末から送信された、通信端末の識別情報と該端末を示す発信元情報とを含む発信要求、および、通信端末の識別情報と該端末を示す発信元情報とを含む切断要求を受信すると、前記第１記憶手段から、前記受信した発信要求および切断要求の各々に含まれる識別情報と対応付けられた電話番号を読み出す電話番号取得手段と、
前記読み出された電話番号を、前記受信した発信要求および切断要求の各々にさらに含めて、前記ダイヤルアップサーバへ送信する送信手段と
を備え、
前記ダイヤルアップサーバは、
前記通信端末の電話番号と、該通信端末と回線接続中の前記端末を示す発信元情報とが対応付けられた接続ログを記憶する第２記憶手段と、
前記電話番号取得装置から送信された発信要求を受信すると、該発信要求に含まれる電話番号へ発信する発信手段と、
前記電話番号取得装置から送信された切断要求を受信すると、該切断要求に含まれる電話番号の通信端末との間で接続中の回線を切断する切断手段と、
回線接続中の前記端末と前記通信端末との間で、該端末から送信されたデータを該通信端末に送信し、該通信端末から送信されたデータを該端末へ送信する通信制御手段と
を備え、
前記発信手段は、
前記発信要求を受信すると、前記接続ログに、該発信要求に含まれる電話番号と一致するものが含まれているか否か判定し、該判定の結果、一致するものが含まれていない場合、該発信要求に含まれる電話番号へ発信し、該判定の結果、一致するものが含まれている場合、前記通信制御手段に、該発信要求に含まれる電話番号の通信端末と該発信要求に含まれる発信元情報の端末との間でのデータの送信制御を指示し、
前記切断手段は、
前記切断要求を受信すると、前記接続ログに、該切断要求に含まれる電話番号と一致する電話番号と、該切断要求に含まれる発信元情報とは異なる発信元情報が対応付けられているか否か判定し、該判定の結果、該当するものがない場合、該切断要求に含まれる電話番号の通信端末との間で接続中の回線を切断し、該判定の結果、該当するものがある場合、該切断要求に含まれる電話番号の通信端末との間で接続中の回線を切断しないことを特徴とする接続システム。
【請求項２】
複数の端末と接続される電話番号取得装置がダイヤルアップサーバと接続され、該ダイヤルアップサーバは通信ネットワークを介して複数の通信端末と接続される接続システムによる接続方法であって、
前記電話番号取得装置は、
前記各通信端末の電話番号と、該通信端末の識別情報とを対応付けて記憶する第１記憶手段を備え、
前記ダイヤルアップサーバは、
前記通信端末の電話番号と、該通信端末と回線接続中の前記端末を示す発信元情報とが対応付けられた接続ログを記憶する第２記憶手段と、
回線接続中の前記端末と前記通信端末との間で、該端末から送信されたデータを該通信端末に送信し、該通信端末から送信されたデータを該端末へ送信する通信制御手段と
を備え、
前記電話番号取得装置が、
前記端末から送信された、通信端末の識別情報と該端末を示す発信元情報とを含む発信要求を受信すると、前記第１記憶手段から、前記受信した発信要求に含まれる識別情報と対応付けられた電話番号を読み出すステップと、
前記読み出された電話番号を前記受信した発信要求にさらに含めて、前記ダイヤルアップサーバに送信するステップと
を実行し、
前記ダイヤルアップサーバが、
前記電話番号取得装置から送信された発信要求を受信するステップと、
前記接続ログに、前記受信した発信要求に含まれる電話番号と一致するものが含まれているか否か判定し、該判定の結果、一致するものが含まれていない場合、該発信要求に含まれる電話番号へ発信し、該判定の結果、一致するものが含まれている場合、該発信要求に含まれる電話番号の通信端末と該発信要求に含まれる発信元情報の端末との間でのデータの送信制御を指示するステップと
を実行し、
前記電話番号取得装置が、
前記端末から送信された、通信端末の識別情報と該端末を示す発信元情報とを含む切断要求を受信すると、前記記憶手段から、前記受信した切断要求に含まれる識別情報と対応付けられた電話番号を読み出すステップと、
前記読み出された電話番号を前記受信した切断要求にさらに含めて、前記ダイヤルアップサーバに送信する送信ステップと
を実行し、
前記ダイヤルアップサーバが、
前記電話番号取得装置から送信された切断要求を受信するステップと、
前記接続ログに、前記受信した切断要求に含まれる電話番号と一致する電話番号と、該切断要求に含まれる発信元情報とは異なる発信元情報とが対応付けられているか否か判定し、該判定の結果、該当するものがない場合、該切断要求に含まれる電話番号の通信端末との間で接続中の回線を切断し、該判定の結果、該当するものがある場合、該切断要求に含まれる電話番号の通信端末との間で接続中の回線を切断しないステップと
を実行することを特徴とする接続方法。
【発明の詳細な説明】
【技術分野】
【０００１】
本発明は、通信端末との接続に関するものである。
【背景技術】
【０００２】
金融機関の店舗等には金融端末が設置されている。該金融端末は、専用線により勘定系システムと接続され、残高照会や振込み、引き落とし等の処理を行う。また、各金融端末は、金融端末の故障等に対応するため、勘定系システムとは別に、監視センタと接続されている。このような監視システムが特許文献１に記載されている。
【０００３】
【特許文献１】特開２００３−２５６６４９号公報
【発明の開示】
【発明が解決しようとする課題】
【０００４】
各金融端末と監視センタとは、勘定系システムと接続される専用線とは別回線で接続される。具体的には、例えば、各金融端末に設けられたＰＨＳ（Personal Handyphone System）や携帯電話等の通信端末によりインターネットや公衆網等の通信ネットワークと接続され、該通信ネットワークを介して監視センタと接続される。従来のシステムの一例を図９に示す。図９において、監視センタ９０と、各監視対象システム９２とは、公衆網等の通信ネットワーク９１を介して接続される。
【０００５】
監視センタ９０は、例えば、監視者の用いるＰＣ（Personal Computer）等の端末９０１、各端末９０１と通信ネットワーク９１とを接続する複数のルータ９０２等を有する。ルータ９０２の各々は、ルーティング情報と、各金融端末９２２のＩＤと該金融端末９２２が接続されている通信端末９２１の電話番号とを対応付けた情報（以下接続情報）を記憶している。
【０００６】
監視対象システム９２は、金融端末９２２と、各金融端末９２２と通信ネットワーク９１とを接続するＰＨＳや携帯電話等の通信端末９２１等を有する。
【０００７】
監視者は、警報装置（図示略）等により何れかの金融端末９２２に異常が発生したことを確認すると、端末９０１を用いて、異常の発生した金融端末９２２との接続を要求する。端末９０１は、管理者に指示された金融端末のＩＤ等をルータ９０２に送信する。ルータ９０２は、記憶しているルーティング情報を参照して各ルータ９０２間でルーティングを行ない、接続情報から、受信したＩＤに応じた通信端末９２１の電話番号を取得して発信し、通信端末９２１と端末９０１とを接続する。
【０００８】
上述の従来のシステムにおいて、通信端末がＰＨＳであり、ＰＩＡＦＳ（PHS Internet Access Forum Standard）によりＰＨＳと通信ネットワークとを接続する場合があるが、ＰＩＡＦＳに対応している市販のルータは少なく、増設や機器交換等の際に、所望の機能を有するルータが入手できないおそれがある。
【０００９】
また従来のシステムでは、上述のように複数のルータを設置するので、各ルータに、ルーティング情報と、接続情報とを記憶させておく必要がある。複数のルータの各々にルーティング情報と接続情報とを記憶させる必要があるので、各ルータの管理が煩わしい。
【００１０】
本発明はこのような事情に鑑みてなされたもので、ルータの仕様に制限されることなく複数の端末の各々に発信する技術を提供することを目的とする。また、本発明の更なる目的は、複数のルータを設置することなく複数の端末の各々に発信する技術を提供することを目的とする。
【課題を解決するための手段】
【００１１】
本発明は上記の目的を達成するためになされたもので、複数の端末と接続される電話番号取得装置がダイヤルアップサーバと接続され、該ダイヤルアップサーバは通信ネットワークを介して複数の通信端末と接続される接続システムであって、前記電話番号取得装置は、前記各通信端末の電話番号と、該通信端末の識別情報とを対応付けて記憶する第１記憶手段と、前記各端末から送信された、通信端末の識別情報と該端末を示す発信元情報とを含む発信要求、および、通信端末の識別情報と該端末を示す発信元情報とを含む切断要求を受信すると、前記第１記憶手段から、前記受信した発信要求および切断要求の各々に含まれる識別情報と対応付けられた電話番号を読み出す電話番号取得手段と、前記読み出された電話番号を、前記受信した発信要求および切断要求の各々にさらに含めて、前記ダイヤルアップサーバに送信する送信手段と、を有し、前記ダイヤルアップサーバは、前記通信端末の電話番号と、該通信端末と回線接続中の前記端末を示す発信元情報とが対応付けられた接続ログを記憶する第２記憶手段と、前記電話番号取得装置から送信された発信要求を受信すると、該発信要求に含まれる電話番号を発信する発信手段と、前記電話番号取得装置から送信された切断要求を受信すると、該切断要求に含まれる電話番号の通信端末との間で接続中の回線を切断する切断手段と、回線接続中の前記端末と前記通信端末との間で、該端末から送信されたデータを該通信端末に送信し、該通信端末から送信されたデータを該端末へ送信する通信制御手段と、を有し、前記発信手段は、前記発信要求を受信すると、前記接続ログに、該発信要求に含まれる電話番号と一致するものが含まれているか否か判定し、該判定の結果、一致するものが含まれていない場合、該発信要求に含まれる電話番号を発信し、該判定の結果、一致するものが含まれている場合、前記通信制御手段に、該発信要求に含まれる電話番号の通信端末と該発信要求に含まれる発信元情報の端末との間でのデータの送信制御を指示し、前記切断手段は、前記切断要求を受信すると、前記接続ログに、該切断要求に含まれる電話番号と一致する電話番号と、該切断要求に含まれる発信元情報とは異なる発信元情報とが対応付けられているか否か判定し、該判定の結果、該当するものがない場合、該切断要求に含まれる電話番号の通信端末との間で接続中の回線を切断し、該判定の結果、該当するものがある場合、該切断要求に含まれる電話番号の通信端末との間で接続中の回線を切断しないことを特徴とする。
【発明の効果】
【００１２】
本発明による技術によれば、ルータの仕様に制限されることなく複数の端末の各々に発信する技術を提供することが可能となる。また、複数のルータを設置することなく複数の端末の各々に発信することが可能となる。
【発明を実施するための最良の形態】
【００１３】
以下、本発明の一実施形態を図面を参照して詳細に説明する。以下では、金融端末の監視システムを例にして説明するが、これに限定するものではない。例えば、自動販売機等の監視システムなど、少数の監視センタと多数の監視対象システムとを電話網等の公衆網で接続する場合に適用可能である。
【００１４】
図１は、本実施形態の監視システムの構成例を示す図である。図１において、監視システムは、監視センタ１と、複数の監視対象システム３とが、電話網等の通信ネットワーク２を介して接続する。監視対象システム３は、通信端末３１、金融端末３２等を有する。通信端末３１は、通信ネットワーク２と接続するためのものであり、例えば、携帯電話やＰＨＳ等である。金融端末３２は、通信端末３１を介して通信ネットワーク２と接続する。監視対象システム３の各々において、１つの通信端末３１と複数の金融端末３２とは、通信ネットワークを介して接続されている。なお、ここで、通信端末３１がＰＨＳであり、該通信端末３１がＰＩＡＦＳ（PHS Internet Access Forum Standard）により通信ネットワーク２と接続している場合、通信端末３１と金融端末３２とは、ＰＩＡＦＳ対応のデータ通信装置等を介して接続されているものとする。
【００１５】
監視センタ１は、端末１１、電話番号取得装置１２、ダイヤルアップサーバ１３、接続装置１４、ＴＡ（Terminal Adapter）１５等を有する。端末１１は、各金融端末３２を監視する監視者が用いるＰＣ等の情報処理装置である。金融端末３２に異常が発生した場合、監視者は、端末１１を用いて金融端末３２に所定のコマンドを送信等することにより、金融端末３２の異常に対応する。電話番号取得装置１２は、各金融端末３２を一意に識別する機器ＩＤと、該金融端末３２に接続されている通信端末３１の電話番号とを対応付けて記憶しておき、端末１１から機器ＩＤが送信されると、該機器ＩＤに対応する電話番号を読み出し、該読み出した電話番号をダイヤルアップサーバ１３に送信する。ダイヤルアップサーバ１３は、電話番号取得装置１２から送信された電話番号を発信し、さらに、電話番号を発信したことにより端末１１と通信端末３１との通信回線が確立すると、該回線間でのデータ送受信を制御する。接続装置１４は、１つのダイヤルアップサーバ１３と複数のＴＡ１５とを接続するネットワーク機器であり、具体的には、例えば、複数のポートを有し、各ポートに接続された機器の各々を制御可能なデバイスサーバ等である。ＴＡ１５は、通信端末３１の各々に対し１つ設定される。ここで、通信端末３１がＰＨＳであり、該通信端末３１がＰＩＡＦＳにより通信ネットワーク２と接続している場合、ＴＡ１５は、ＰＩＡＦＳ対応のデータ通信機能を有していてもよい。
【００１６】
なお、図１では、１つの監視センタ１が通信ネットワーク２を介して３つの監視対象システム３と接続されるものとしたが、監視センタ１及び監視対象システム３の数は任意である。また、各監視センタ１内の端末１１の数は任意である。また、監視対象システム３の各々では、１つの通信端末３１と２つの金融端末３２とがルータ等により接続されるものとしたが、各監視対象システム３の金融端末３２の数は任意であり、２つに限られるわけではない。
【００１７】
次に、端末１１、電話番号取得装置１２、ダイヤルアップサーバ１３の構成例を説明する。
【００１８】
図２は、端末１１の構成例を示す図である。図２において、端末１１は、ＣＰＵ（Central Processing Unit）１１１、メモリ１１２、記憶装置１１３、入力装置１１４、出力装置１１５、通信インタフェース１１６、バス１１７等を有する。ＣＰＵ１１１、メモリ１１２、記憶装置１１３、入力装置１１４、出力装置１１５、通信インタフェース１１６の各々は、バス１１７を介して接続される。
【００１９】
ＣＰＵ１１１は、メモリ１１２にロードしたプログラムを実行することにより、発信・切断要求部１１８を実現する。発信・切断要求部１１８は、監視者が入力装置１１４を用いて入力した情報に従い、電話番号取得装置１２に、通信回線を接続する又は切断する金融端末３２を示す機器ＩＤを送信する。
【００２０】
記憶装置１１３は、例えば、ＨＤＤ（Hard Disk Drive）や、ＣＤ（Compact Disc）、ＤＶＤ（Digital Versatile Disk）等の記憶メディア及び記憶メディア駆動装置等である。
【００２１】
入力装置１１４は、例えばキーボード、マウス、マイク等である。出力装置１１５は、例えばディスプレイ、スピーカ等である。
【００２２】
図３は、電話番号取得装置１２の構成例を示す図である。図３において、電話番号取得装置１２は、ＣＰＵ１２１、メモリ１２２、記憶装置１２３、入力装置１２４、出力装置１２５、通信インタフェース１２６、バス１２７等を有する。ＣＰＵ１２１、メモリ１２２、記憶装置１２３、入力装置１２４、出力装置１２５、通信インタフェース１２６の各々は、バス１２７を介して接続される。
【００２３】
ＣＰＵ１２１は、メモリ１２２にロードしたプログラムを実行することにより、電話番号取得部１２８を実現する。電話番号取得部１２８は、後述する記憶装置１２３内のテーブルから、端末１１から送信された機器ＩＤに対応する電話番号を読み出し、該読み出した電話番号をダイヤルアップサーバ１３に送信する。
【００２４】
記憶装置１２３は、例えば、ＨＤＤや、ＣＤ−Ｒ（Compact Disc-Recordable）、ＤＶＤ−ＲＡＭ（Digital Versatile Disk-Random Access Memory）等の書き込み及び読み出し可能な記憶メディア及び該記憶メディア駆動装置等である。記憶装置１２３には、接続情報１２９が格納されている。接続情報１２９の一例を図４に示す。図４において、接続情報１２９には、機器ＩＤ４０１と、電話番号４０２とが対応付けられて格納されている。機器ＩＤ４０１は、各金融端末３２を一意に識別する識別情報である。電話番号４０２は、各金融端末３２に接続されている通信端末３１の電話番号である。本実施形態では、１つの通信端末３１に複数の金融端末３２が接続される場合もあるため、接続情報１２９には、異なる機器ＩＤに同じ電話番号が対応付けられて記憶される場合もあり得る。接続情報１２９内の機器ＩＤ及び電話番号は、予め登録されていてもよく、入力装置１２４、又は、通信インタフェース１２６を介して入力された情報に従い登録、変更、追記、削除等されてもよい。
【００２５】
図３において、入力装置１２４は、例えばキーボード、マウス、マイク等である。出力装置１２５は、例えばディスプレイ、スピーカ等である。
【００２６】
図５は、ダイヤルアップサーバ１３の構成例を示す図である。図５において、ダイヤルアップサーバ１３は、ＣＰＵ１３１、メモリ１３２、記憶装置１３３、入力装置１３４、出力装置１３５、通信インタフェース１３６、バス１３７等を有する。ＣＰＵ１３１、メモリ１３２、記憶装置１３３、入力装置１３４、出力装置１３５、通信インタフェース１３６の各々は、バス１３７を介して接続される。
【００２７】
ＣＰＵ１３１は、メモリ１３２にロードしたプログラムを実行することにより、発信部１３８、通信制御部１３９等を実現する。発信部１３８は、電話番号取得装置１２から送信された電話番号に示される電話番号を発信し、例えばＰＰＰ（Point to Point Protocol）により、通信端末３１との回線を確立する。通信制御部１３９は、例えばＴＣＰ／ＩＰにより、通信端末３１と端末１１との通信を制御する。切断部１４０は、接続中の回線を切断する。
【００２８】
記憶装置１３３は、例えば、ＨＤＤや、ＣＤ−Ｒ、ＤＶＤ−ＲＡＭ等の書き込み及び読み出し可能な記憶メディア及び記憶メディア駆動装置等である。記憶装置１３３には、接続ログ１４１が格納される。
【００２９】
接続ログ１４１の一例を図６に示す。図６において、接続ログ１４１には、電話番号６０１、接続開始日時６０２、接続終了日時６０３、発信元６０４、接続先６０５等が互いに対応付けて格納される。電話番号６０１は、監視システム１と通信回線の確立された通信端末３１を示す。ここでは、電話番号６０１は、通信回線の確立された通信端末３１の電話番号を示す。接続開始日時６０２は、対応する電話番号６０１と通信回線が確立された日時を示す。接続終了日時６０３は、対応する電話番号６０１と確立された通信回線が切断された日時を示す。ここで、接続終了日時６０３「−」は、通信回線が切断されていないこと、即ち、対応する電話番号６０１と接続中であることを示す。発信元６０４は、対応する電話番号６０１への発信要求を送信した端末１１を示す。接続先６０５は、対応する発信元６０４が接続を要求する金融端末３２を示す情報であり、例えば金融端末３２の機器ＩＤである。なお、本実施形態では、１つの通信端末３１に複数の金融端末３２が接続される場合もあるため、接続ログ１４１には、異なる発信元の各々が同じ電話番号と接続中と記憶される場合もあり得る。接続ログ１４１内の情報は、通信制御部１３９、切断部１４０等により格納される。
【００３０】
図５において、入力装置１３４は、例えばキーボード、マウス、マイク等である。出力装置１３５は、例えばディスプレイ、スピーカ等である。
【００３１】
次に、図７、図８を参照し、本実施形態の監視システムの動作例を説明する。
【００３２】
まず、図７を参照し、回線を接続する動作例を説明する。監視センタ１の監視者は、監視装置（図示略）等により、何れかの金融端末３２の異常を認識すると、端末１１を用いて、異常を認識した金融端末３２を指定する情報を入力する。端末１１の発信・切断要求部１１８は、入力された情報に従い、自身の識別情報等の発信元を示す情報と、監視者に指定された金融端末３２を示す機器ＩＤとを含む接続要求を管理端末１２に送信する（Ｓ７０１）。
【００３３】
電話番号取得装置１２の電話番号取得部１２８は、接続要求を受信すると、該要求から機器ＩＤを抽出し、記憶装置１２３から、抽出した機器ＩＤに対応する電話番号を読み出す（Ｓ７０２）。具体的には、例えば、電話番号取得装置１２の電話番号取得部１２８は、記憶部１２３から接続情報１２９を読み出し、接続情報１２９の機器ＩＤ４０１から、抽出した機器ＩＤと一致する機器ＩＤを検索する。抽出した機器ＩＤと一致する機器ＩＤが検索されると、電話番号取得部１２８は、該検索された機器ＩＤ４０１と対応付けられた電話番号４０２を読み出す。
【００３４】
次に、電話番号取得部１２８は、読み出した電話番号、端末１１から送信された接続要求に含まれる機器ＩＤ、接続要求の発信元を示す情報等を含む発信要求をダイヤルアップサーバ１３に送信する（Ｓ７０３）。
【００３５】
ダイヤルアップサーバ１３の発信部１３８は、発信要求を受信すると、該要求から電話番号、機器ＩＤ、発信元を示す情報等を抽出し、メモリ１３２の所定の記憶領域に格納する。次に、発信部１３８は、抽出した電話番号に示される通信端末３１と接続中であるか否か判定する（Ｓ７０４）。そのために、例えば、発信部１３８は、記憶装置１３３等から接続ログ１４１を読み出し、現在接続中（接続終了日時６０３「−」）の電話番号６０１に、抽出した電話番号と一致する電話番号が含まれているか否か判定する。
【００３６】
Ｓ７０４の判定の結果、回線接続中でない場合、発信部１３８は、抽出した電話番号を発信する（Ｓ７０５）。通信ネットワーク２に含まれる交換機（図示略）等は、発信された電話番号に従い、該電話番号に示される通信端末３１に接続要求を送信する。通信端末３１が、該接続要求に対し応答等すると、交換機は、通信ネットワーク２内の該通信端末３１との回線を確立させる。この動作は従来技術と同じである。
【００３７】
Ｓ７０５の処理により通信回線が確立されると、ダイヤルアップサーバ１３の通信制御部１３９は、メモリ１３２の所定の記憶領域から機器ＩＤ、発信元を示す情報等を読み出し、該発信元を示す情報に示される端末１１と、該機器ＩＤに示される金融端末３２との間のデータの送受信を制御する。この動作は、従来技術と同じである。これにより、端末１１と金融端末３２との間のデータ送受信が可能となる（Ｓ７０６）。また、通信制御部１３９は、Ｓ７０５の処理により発信した通信端末３１の電話番号、内部時計（図示略）等により取得した現在の日時、メモリ１３２の所定の記憶領域から読み出した発信元を示す情報、メモリ１３２の所定の記憶領域から読み出した機器ＩＤ等を、接続ログ１４１の電話番号６０１、接続開始日時６０２、発信元６０４、接続先６０５等に追記する。
【００３８】
Ｓ７０４の判定の結果、回線接続中である場合、発信部１３８は、通信制御部１３９にデータ送受信の制御を指示する。通信制御部１３９はメモリ１３２の所定の記憶領域から機器ＩＤ、発信元を示す情報等を読み出し、該発信元を示す情報に示される端末１１と、該機器ＩＤに示される金融端末３２との間のデータの送受信を制御する。この動作は、従来技術と同じである。これにより、端末１１と金融端末３２との間のデータ送受信が可能となる（Ｓ７０６）。さらに、通信制御部１３９は、上述と同様に、メモリ１３２の所定の記憶領域から読み出した電話番号、内部時計（図示略）等により取得した現在の日時、メモリ１３２の所定の記憶領域から読み出した発信元を示す情報、メモリ１３２の所定の記憶領域から読み出した機器ＩＤ等を、接続ログ１４１の電話番号６０１、接続開始日時６０２、発信元６０４、接続先６０５等に追記する。
【００３９】
このようにデータ送受信が可能となると、監視者は、端末１１を用いてコマンドを送信する等して、各金融端末３２の異常に対応する。
【００４０】
上述のように、本実施形態の監視システムでは、１つのダイヤルアップサーバ１３が発信し、該ダイヤルアップサーバ１３と各通信端末３１とが直接接続することが可能となる。これにより、ＰＩＡＦＳ対応機能等の所定の機能を有するハードウェア製品が廃盤等となり入手困難となった場合でも、発信機能と所定の機能とを切り離すことが可能となるので、機器の更新やシステム構成変更等が容易となる。
【００４１】
また、本実施形態の監視システムでは、１つの電話番号取得装置１２に接続情報を記憶させれば良く、図９に一例を示す従来技術のように、複数のルータの各々に接続情報及びルーティング情報を記憶させる必要が無い。従って、複数のルータ各々に設定したルーティング情報及び接続情報を管理・登録する必要が無くなるので、監視システムを構成する機器の管理が容易となる。
【００４２】
次に、図８を参照し、回線を切断する動作例を説明する。
【００４３】
回線を切断する場合、監視者の指示に従い、端末１１の発信・切断要求部１１８は、回線を切断する機器ＩＤ、発信元を示す情報等を含む切断要求を電話番号取得装置１２に送信する（Ｓ８０１）。
【００４４】
電話番号取得装置１２の電話番号取得部１２８は、上述と同様に、接続情報１２９から、切断要求から抽出した機器ＩＤと対応付けられた電話番号を読み出し（Ｓ８０２）、発信元を示す情報、読み出した電話番号、機器ＩＤ等を含む切断要求をダイヤルアップサーバ１３に送信する（Ｓ８０３）。
【００４５】
ダイヤルアップサーバ１３の切断部１４０は、切断要求を送信した端末１１以外の端末１１が、切断要求された通信端末３１と接続中であるか否か判定する（Ｓ８０４）。そのために、例えば、切断部１４０は、まず、切断要求から、発信元を示す情報、機器ＩＤ、電話番号等を抽出し、メモリ１３２の所定の記憶領域に格納する。次に、切断部１４０は、記憶装置１３３から接続ログ１４１を読み出し、現在接続中（接続終了日時６０３「−」）の電話番号６０１に、メモリ１３２の所定の記憶領域に格納した電話番号と一致する電話番号が含まれており、且つ、現在接続中の電話番号６０１と対応付けられている発信元６０４に、メモリ１３２の所定の記憶領域に格納した発信元を示す情報以外の発信元が含まれているか否か判定する。この判定の結果、該当する情報が含まれている場合、切断部１４０は、切断要求を送信した端末１１以外の端末１１が、切断要求された通信端末３１と接続中であると判定する。
【００４６】
Ｓ８０４の判定の結果、切断要求を送信した端末１１以外の端末１１が、切断要求された通信端末３１と接続中でない場合、切断部１４０は、切断要求に従い、通信端末３１との通信回線を切断する（Ｓ８０５）。具体的には、例えば、切断部１４０は、通信ネットワーク２内の交換機に切断要求等を送信する。この動作は従来技術と同じである。
【００４７】
Ｓ８０４の判定の結果、切断要求を送信した端末１１以外の端末１１が、切断要求された通信端末３１と接続中である場合、切断部１４０は、通信端末３１との通信回線を切断しない。
【００４８】
次に、切断部１４０は、接続ログ１４１に、接続履歴を格納する（Ｓ８０６）。具体的には、例えば、通信制御部１３９は、切断要求を送信した端末１１の発信元６０４と対応付けられた接続終了日時６０３に、内部時計等から取得した現在の日時を追記等する。
【００４９】
以上、この発明の実施形態を図面を参照して詳述してきたが、具体的な構成はこの実施形態に限られるものではなく、この発明の要旨を逸脱しない範囲の設計変更等も含まれる。
【００５０】
例えば、上述の実施形態では、接続ログには、接続先の通信端末の電話番号が格納されるものとしたが、これに限られるわけではなく、例えば、接続先の通信端末の識別情報等、発信先が限定できる情報であればよい。
【００５１】
また、上述の実施形態では、ダイヤルアップサーバの切断部が、切断要求を送信した端末以外の端末が、切断要求された通信端末と接続中であるか否か判定するものとしたが、この動作を電話番号取得装置等の他の装置が行っても良い。この場合、電話番号取得装置等の他の装置は、接続ログのような接続中の発信元及び接続先を示す情報を記憶しており、上述と同様の動作により、切断要求された通信端末と接続中であるか否か判定する。
【図面の簡単な説明】
【００５２】
【図１】本発明の一実施形態において、システム構成例を示す図である。
【図２】同実施形態において、端末の構成例を示す図である。
【図３】同実施形態において、電話番号取得装置の構成例を示す図である。
【図４】同実施形態において、接続情報の一例を示す図である。
【図５】同実施形態において、ダイヤルアップサーバの構成例を示す図である。
【図６】同実施形態において、接続ログの一例を示す図である。
【図７】同実施形態において、システムの発信時のシーケンス例を示す図である。
【図８】同実施形態において、システムの切断時のシーケンス例を示す図である。
【図９】従来技術を説明するシステム構成例である。
【符号の説明】
【００５３】
１：監視センタ、２：通信ネットワーク、３：監視対象システム、１１：端末、１２：電話番号取得装置、１３：ダイヤルアップサーバ、１４：接続装置、１５：ＴＡ、３１：通信端末、３２：金融端末、１１１：ＣＰＵ、１１８：発信・切断要求部、１１２：メモリ、１１３：記憶装置、１１４：入力装置、１１５：出力装置、１１６：通信インタフェース、１１７：バス、１２１：ＣＰＵ、１２８：電話番号取得部、１２２：メモリ、１２３：記憶装置、１２９：接続情報、１２４：入力装置、１２５：出力装置、１２６：通信インタフェース、１２７：バス、３０１：機器ＩＤ、３０２：電話番号、１３１：ＣＰＵ、１３８：発信部、１３９：通信制御部、１４０：切断部、１３２：メモリ、１３３：記憶装置、１４１：接続ログ、１３４：入力装置、１３５：出力装置、１３６：通信インタフェース、１３７：バス、６０１：電話番号、６０２：接続開始日時、６０３：接続終了日時、６０４：発信元、６０５：接続先、９０：監視センタ、９０１：端末、９０２：ルータ、９１：通信ネットワーク、９２：監視対象システム、９２１：通信端末、９２２：金融端末
【図１】
0004557839.tif 000002
【図２】
0004557839.tif 000003
【図３】
0004557839.tif 000004
【図４】
0004557839.tif 000005
【図５】
0004557839.tif 000006
【図６】
0004557839.tif 000007
【図７】
0004557839.tif 000008
【図８】
0004557839.tif 000009
【図９】
0004557839.tif 000010